(57)【要約】【課題】  ディスクから読み出されたデータを一時的に格納するメモリの状況に応じた効果的な調整を行う。【解決手段】  メモリ内のデータ量、圧縮形式またはそれらの組み合わせに応じて調整項目を決め、調整を実施する。【選択図】      図４
2005317134.tif 000002
【特許請求の範囲】
【請求項１】
ディスクの再生時にディスクから読み出されたデータを一時的に格納するメモリと、
ディスクの再生時でサーボ制御回路の調整が開始されるときに、該メモリの状況に応じて調整項目を決定する調整項目決定手段と、
決定された調整項目についてサーボ制御回路の調整を行う手段とを具備するディスク再生装置。
【請求項２】
前記調整項目決定手段は、前記メモリに格納されているデータの量に応じて調整項目を決定する請求項１記載のディスク再生装置。
【請求項３】
前記調整項目決定手段は、前記メモリに格納されているデータの圧縮形式に応じて調整項目を決定する請求項１記載のディスク再生装置。
【請求項４】
前記調整項目決定手段は、前記メモリに格納されているデータの量と圧縮形式の組み合わせに応じて調整項目を決定する請求項１記載のディスク再生装置。
【請求項５】
ディスクの再生時で前記メモリ内のデータ量がゼロとなったとき、全ての調整項目についてサーボ制御回路の調整を行う手段をさらに具備する請求項１〜４のいずれか１項記載のディスク再生装置。
【請求項６】
ディスクの再生時で前記メモリ内のデータ量がゼロになったとき、全ての調整項目についてのサーボ制御回路の調整の前にシステムの初期化を行う手段をさらに具備する請求項５記載のディスク再生装置。
【発明の詳細な説明】
【技術分野】
【０００１】
本発明は、ＭＤ（ミニディスク）再生装置、ＣＤ（コンパクトディスク）再生装置、ＤＶＤ（Digital Versatile Disc）再生装置などのディスク再生装置に関し、再生中に行なわれるサーボ回路の制御パラメータの再調整に言及する。
【背景技術】
【０００２】
ＭＤ再生装置、ＣＤ再生装置、ＤＶＤ再生装置などのディスク再生装置では、再生速度よりも速い速度でディスクから読み出されたデータがメモリに格納され、これと並行して再生速度でメモリからデータが読み出されて音や映像が再生される。このため、ディスクからのデータの読み出しが一定期間停止してもメモリに格納されているデータを使って再生を続けることができる。そこでこの期間を利用して、ディスク特性のバラツキや機器の経時変化、温度による変化を補正するため、再生中であってもサーボ回路のオフセット、ゲインなどの制御パラメータを自動的に調整することができる。
【０００３】
しかしながら、従来では、調整項目が固定的に定められていたので、調整項目が多ければ、メモリ内のデータが少ない場合には再調整を実施するとメモリ内のデータを使い果たしてしまって音切れが発生する恐れがあるので再調整を行うことができない。逆に調整項目が少いと効果的な調整を行うことができない。
【０００４】
【特許文献１】特許第３１４２４９７号（特開平１０−２７５３４４）
【特許文献２】特開平８−６３７６３
【特許文献３】特開平１０−１１２１２４
【特許文献４】特開２００１−３４９４７
【特許文献５】特開平８−８７７５３
【特許文献６】特開平６−３０２１０４
【特許文献７】特開平８−７７５７７
【特許文献８】特開平９−２１２８８２
【特許文献９】特開２０００−５７５９６
【発明の開示】
【発明が解決しようとする課題】
【０００５】
したがって本発明の目的は、メモリの状況に応じた効果的な調整を行うことのできるディスク再生装置を提供することにある。
【課題を解決するための手段】
【０００６】
本発明によれば、ディスクの再生時にディスクから読み出されたデータを一時的に格納するメモリと、ディスクの再生時でサーボ制御回路の調整が開始されるときに、該メモリの状況に応じて調整項目を決定する調整項目決定手段と、決定された調整項目についてサーボ制御回路の調整を行う手段とを具備するディスク再生装置が提供される。
【発明を実施するための最良の形態】
【０００７】
図１は本発明が適用されるディスク再生装置の一例としてのＭＤ再生装置の構成を示す。
【０００８】
図１に示す如く、ＭＤ再生装置にはカートリッジ１に格納されるディスク２を回転させるスピンドルモータ３、ディスク２にレーザ光を照射してデータを読み取る対物レンズ４と、対物レンズ４を搭載してディスク２の信号面にビームを集光しトラックを追跡する光ピックアップ５と、対物レンズ４を含む光ピックアップ５の全体を乗せたスレッドの送りモータ６とが設けられる。
【０００９】
ＲＦアンプ７は光ピックアップ５からの信号から、レーザのスポットの位置を決めるのに必要なサーボ信号や音声信号を生成し、処理する。サーボ制御回路８は、ＲＦアンプ７からレーザのスポット位置信号を受けて、レーザスポットがディスク２の面に正しく焦点を結ぶように光ピックアップ５を制御するフォーカスサーボ制御や、トラックを正確に追跡させるために光ピックアップ５を制御するトラッキングサーボ制御を行う。
【００１０】
アドレスデコーダ９はＲＦアンプ７からの信号をディスク２のプリグループに記録されているアドレスの信号に復調し、絶対アドレスを読み出すとともにディスク２の回転数を制御して読み出し部の線速度を一定にするサーボ信号を取り出す働きをしている。ＥＦＭ（Eight Fourteen Modulation）とＣＩＲＣ（Cross Interleaved Reed Solomon Code）デコーダ１０は、アドレスデコーダ９及びＲＦアンプ７からの信号を入力し、８ビットのディジタル信号をディスク２の記録フォーマットである１４ビットに変換する回路（ＥＦＭ）と、エラー訂正の信号処理をする回路（ＣＩＲＣ）とからなる。耐振用メモリコントローラ１１は数ＭビットＤＲＡＭ（Dynamic Random Access Memory）で構成される半導体メモリ１２にＥＦＭとＣＩＲＣデコーダ１０からのデータを記憶させ記憶したデータを出力させる制御を行う。そして光ピックアップ５が振動で飛んでも半導体メモリにデータを再生している間に光ピックアップ５を元の位置に戻すことにより振動による音飛びを回避している。音声圧縮デコーダ１３は、聴覚特性を基に、ディスク２に圧縮処理されている信号のデコードを行う。音声圧縮デコーダ１３からの信号はＤ／Ａ変換器１４（Digital to Analog Converter）によりディジタルからアナログに変換されてオーディオ出力の信号として取り出される。システムコントローラ１５はサーボ制御回路８、ＥＦＭとＣＩＲＣデコーダ１０、耐振用メモリコントローラ１１の制御を行い、制御状態を表示器１６に表示し、キー１７により、オン、オフ、選局等の制御情報を入力する。サーミスタ２０は、ピックアップ４およびその周辺の温度を検知し、温度の変化が検知されたらサーボ回路を再調整するために設けられる。
【００１１】
図２は半導体メモリ１２に蓄積される記憶データの状態を説明する図である。本図に示す如く、ショック（振動）の無い安定した状態では、メモリ１２にフルにデータが記憶される（例えば、１秒間）と、ディスク２からの読み出しが一時的に停止され、メモリ１２に蓄積されたデータがある量まで減る（例えば、５秒間）とディスク２からのデータの読み出しが開始され、これの繰り返しでメモリ１２には常にデータがフルに近い状態に保たれている。ショックで光ピックアップ５がトラックから外れた時には、元の位置を探し出すまでの間はディスク２からのデータの読み出しが途切れるのでメモリ１２内のデータ量は一時的に減少する。
【００１２】
図３はサーボ制御回路８におけるトラッキングサーボ回路及びフォーカスサーボ回路の概略を示す図である。図３に示す如く、光ピックアップ５の光検出器からの２つの信号をそれぞれ増幅する２つの増幅器８１と、２つの増幅器８１からの信号の差を誤差信号として取りこの誤差信号を増幅する増幅器８２と、増幅器８２の出力の許可、禁止を行うスイッチ８３と、誤差信号により光ピックアップを駆動するアクチュータコイル８４とが設けられる。調整の際には、制御部８５がスイッチ８３を開き、増幅器８２の出力信号を取り込み、この出力信号を基に調整し、調整後スイッチ８３を閉じる。
【００１３】
ゲインの調整のためには、増幅器８２の出力信号を目標値と比較してそれが目標値になるように増幅器８２の増幅度を調整する。
【００１４】
オフセットの調整のためには、図示しないレーザの発光を停止し、このときの増幅器の８２の出力がゼロになるように増幅器８１のゲインを調整するか、または、図示されていないが、増幅器８２の出力に加える電圧を調整するかまたは、デジタル処理の場合には、このときの出力をゼロとして取り扱うことでオフセットの調整を行う。
【００１５】
このように、オフセットの調整手順にはレーザの発光の停止の手順などが含まれ、比較的長い時間を要するが、オフセットの調整が必要となる頻度は低い。一方、ゲインの調整は比較的短時間で終るが、調整が必要となる頻度は高い。
【００１６】
図４は、システムコントローラ１５における、自動調整処理の第１の例を示すフローチャートである、再生中にデータエラー、システムエラー（サーボ外れなど）が発生したり、サーミスタ２０で検知される温度に変化があったとき、この自動調整処理が起動される。まずメモリ１２内のデータ量が調べられ（ステップ１０００）、それが５０％以上であればすべての調整項目について調整が実施され（ステップ１００２）、５０％以下であれば一部の調整項目について調整が実施される（ステップ１００４）。
【００１７】
全ての調整項目とは例えば、フォーカス系およびトラッキング系のオフセットの調整、フォーカス系のゲインの調整、およびトラッキング系のゲインの調整である。一部の調整項目とは例えば、比較的時間がかかるが調整が必要となる頻度が低いオフセットの調整を除いた調整項目である。
【００１８】
図５は自動調整処理の第２の例のフローチャートである。ＭＤでは、ＳＰ，ＬＰ２，ＬＰ４の圧縮モードがあり、同じデータ量でＬＰ２ではＳＰの２倍の時間再生することができ、ＬＰ４では４倍の時間再生することができる。そこで、ディスクの圧縮モードを調べ（ステップ１１００）、ＬＰ４であれば全ての調整項目を実施し（ステップ１１０２）、ＬＰ２であれば一部の調整項目を実施する（ステップ１１０４）。
【００１９】
図６は自動調整の第３の例を示す。この例ではメモリ内のデータ量が６０％以上のとき（ステップ１２００）、全ての調整項目を実施し、（ステップ１２０２）、データ量が５０〜６０％のとき（ステップ１２０４）、フォーカス系とトラッキング系のゲイン調整を行い（ステップ１２０６）、３０〜５０％のとき（ステップ１２０８）トラッキング系のゲイン調整のみを行い（ステップ１２１０）、３０％以下のときは調整を行わない。
【００２０】
図７はデータ量と圧縮形式の組み合わせで調整項目を変える例を示す。圧縮形式がＬＰ４である場合にはデータ量５０％以上で全項目の調整を行い、４０〜６０％でフォーカス系とトラッキング系のゲイン調整を行い、４０％以下ではトラッキング系のゲイン調整のみを行う。一方、圧縮形式がＬＰ２のときはデータ量８０％以上で全項目の調整を行う。
【００２１】
以上説明した処理により、音切れを生じることなくメモリの状況に応じた効果的な調整を行うことができる。再調整開始時にメモリ内のデータがなくなっているときは既に音切れが生じていると考えられるので、全ての調整項目を実施することで出来る限り早くシステムを良好な状態に復旧させることができる。また、システムが暴走していることも考えられるので、一度、システムをリセットして初期化してから全ての調整項目を実施するようにしてもよい。
【図面の簡単な説明】
【００２２】
【図１】本発明が採用されるディスク再生装置の一例としてのＭＤ再生装置の構成を示す図である。
【図２】メモリの役割を説明する図である。
【図３】サーボ制御回路の構成を示す図である。
【図４】本発明の自動調整処理の第１の例を示すフローチャートである。
【図５】本発明の自動調整処理の第２の例を示すフローチャートである。
【図６】本発明の自動調整処理の第３の例を示すフローチャートである。
【図７】本発明の自動調整処理の第４の例を示すフローチャートである。
【符号の説明】
【００２３】
１…カートリッジ
２…ディスク
３…スピンドルモータ
４…対物レンズ
【図１】
2005317134.tif 000003
【図２】
2005317134.tif 000004
【図３】
2005317134.tif 000005
【図４】
2005317134.tif 000006
【図５】
2005317134.tif 000007
【図６】
2005317134.tif 000008
【図７】
2005317134.tif 000009